(57)【要約】【課題】外部から不正な操作を受けても開閉部材の施錠状態を容易に解除することができず、不正行為に対する防御性能（即ち防犯性能）に優れた施錠装置を備えた遊技機を提供する。【解決手段】遊技機の開閉部材を施錠する施錠装置は、鍵の非装着状態では錠軸６２が回動不能となるシリンダ錠６０と、施錠位置と解錠位置との間を配置切替え可能な切替え係合体としての鉤部材５０Ａ，５０Ｂと、シリンダ錠６０と各鉤部材５０Ａ，５０Ｂとの間の動作伝達に関与する作動機構（４０，５５，５６，５７，７０等）とを備える。作動機構は、鉤部材を施錠位置から解錠位置へ切替えようとする外力が及んだときにその外力を前記錠軸６２に伝達するように構成されている。このため、鍵の非装着時における錠軸６２の回動不能特性を利用して前記外力による鉤部材の不正な配置切替えが阻止される。【選択図】図３
2008194527.tif 000002
【特許請求の範囲】
【請求項１】
開閉部材及びその開閉部材を施錠する施錠装置を備えた遊技機において、
前記施錠装置は、
鍵の非装着状態では錠軸が回動不能となる錠と、
前記開閉部材が施錠状態となる施錠位置と、
前記開閉部材が解錠状態となる解錠位置との間を配置切替え可能な切替え係合体と、
前記錠と前記切替え係合体との間の動作伝達に関与する作動機構とを備え、
前記作動機構は、前記切替え係合体又は当該作動機構に対して切替え係合体を施錠位置から解錠位置へ切替えようとする外力が及んだときにその外力を前記錠軸に伝達するように構成されていることを特徴とする遊技機。
【発明の詳細な説明】
【技術分野】
【０００１】
本発明は、開閉部材及びその開閉部材を施錠するための施錠装置を備えた遊技機に関する。
【背景技術】
【０００２】
一般にパチンコ機等の遊技機では、内部を日常的に保守点検する必要から、遊技機の前面には前面枠（前面扉ともいう）等の開閉部材が開閉可能に設けられ、店員以外の者が無断で開閉部材を開放できないようにするために、遊技機には施錠装置が設けられている。かかる施錠装置としては、専用の鍵を用いて操作されるシリンダ錠と、遊技機本体に設けられた複数の被係止部に対しそれぞれ係脱可能に設けられた複数の鉤部材と、鍵によるシリンダ錠の解錠操作に応じて前記複数の鉤部材を作動させる作動機構とを備えたものが知られている。この施錠装置によれば、施錠状態では各鉤部材がそれぞれ対応する被係止部に係合することで開閉部材が開放不能となる。他方、専用の鍵でシリンダ錠を解錠操作することにより作動機構を介して各鉤部材が被係止部から同時に離脱し、開閉部材が開放可能となる。
【発明の開示】
【発明が解決しようとする課題】
【０００３】
しかしながら、従来の施錠装置付き遊技機は、遊技機本体と開閉部材との間に僅かに生じた隙間から針金等の線材を差し込み、その線材で鉤部材や作動機構に直接力を加えて鉤部材を被係止部から離脱させるという不正行為を受けるおそれがあった。このため、専用の鍵でシリンダ錠を解錠操作せずとも、開閉部材の施錠状態が不正に解除され、開閉部材が不正開放されてしまうという問題があった。
【０００４】
本発明の目的は、外部から不正な操作を受けても開閉部材の施錠状態を容易に解除することができず、不正行為に対する防御性能（即ち防犯性能）に優れた施錠装置を備えた遊技機を提供することにある。
【課題を解決するための手段】
【０００５】
上記の目的を達成するために、本発明では、開閉部材及びその開閉部材を施錠する施錠装置を備えた遊技機において、前記施錠装置は、鍵の非装着状態では錠軸が回動不能となる錠と、前記開閉部材が施錠状態となる施錠位置と、前記開閉部材が解錠状態となる解錠位置との間を配置切替え可能な切替え係合体と、前記錠と前記切替え係合体との間の動作伝達に関与する作動機構とを備え、前記作動機構は、前記切替え係合体又は当該作動機構に対して切替え係合体を施錠位置から解錠位置へ切替えようとする外力が及んだときにその外力を前記錠軸に伝達するように構成されていることを特徴とする。
【発明の効果】
【０００６】
本発明によれば、外部から不正な操作を受けても開閉部材の施錠状態を容易に解除することができず、不正行為に対する防御性能（即ち防犯性能）に優れた施錠装置を備えた遊技機を提供することができる。
【発明を実施するための最良の形態】
【０００７】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【０００８】
手段１．開閉部材及びその開閉部材を施錠する施錠装置を備えた遊技機において、前記施錠装置は、鍵の非装着状態では錠軸が回動不能となる錠と、前記開閉部材が施錠状態となる施錠位置と、前記開閉部材が解錠状態となる解錠位置との間を配置切替え可能な切替え係合体と、前記錠と前記切替え係合体との間の動作伝達に関与する作動機構とを備え、前記作動機構は、前記切替え係合体又は当該作動機構に対して切替え係合体を施錠位置から解錠位置へ切替えようとする外力が及んだときにその外力を前記錠軸に伝達するように構成されていることを特徴とする遊技機。
【０００９】
手段１の遊技機によれば、錠に鍵を装着して解錠操作を行う場合には、錠の動作が作動機構を介して切替え係合体に伝達され、切替え係合体が施錠位置から解錠位置に切替えられて開閉部材の施錠が解除される。これに対し、不正な意図を持った者が切替え係合体又は作動機構に対して切替え係合体を施錠位置から解錠位置へ切替えようとする外力を及ぼす場合（例えば、線材等を外から遊技機内に挿入しその線材等を介して不正に外力を及ぼす場合）がある。しかしその場合でも、不正な外力は作動機構を介して錠の錠軸に伝達される一方で、その錠軸は錠に鍵が装着されない限り回動不能のままである。故に、不正な外力が及んだとしても、錠軸が動かないことで作動機構及び切替え係合体も動かされず、外力による切替え係合体の不正な配置切替えが阻止される。つまり、鍵の非装着時における錠軸の回動不能特性を利用して外力による切替え係合体の不正な配置切替えが阻止される。従って、この遊技機によれば、外部から不正な操作を受けても開閉部材の施錠状態を容易に解除することができず、不正行為に対する防御性能（即ち防犯性能）に優れている。
【００１０】
尚、この明細書において「錠」とは、扉などの部材の戸締りに用いられる狭義の錠に限定されるものではなく、鍵との組合せ使用により施錠及び解錠を行うことができる広い意味での機械部品（即ち広義の錠）を意味するものである。
【００１１】
手段２．前記作動機構は、前記錠の錠軸と共に一体回動可能な可動片と、前記切替え係合体と前記可動片との間の動作伝達を担う作動部材とを具備することを特徴とする手段１に記載の遊技機。
【００１２】
手段２によれば、前記切替え係合体又は前記作動部材に対して切替え係合体を施錠位置から解錠位置へ切替えようとする外力が及んだときに、その外力は可動片を介して錠の錠軸に伝達される。従って、上記手段１と同様、鍵の非装着時における錠軸の回動不能特性を利用して前記外力による切替え係合体の不正な配置切替えを阻止することができる。
【００１３】
手段３．前記作動部材は前記可動片の一部と係合可能な係合部を有しており、前記錠に鍵を非装着の状態では、不正な外力による切替え係合体の施錠位置から解錠位置への配置切替えに応じた作動部材の移動を阻止すべく、前記可動片の一部が作動部材の係合部と当接状態又はそれに近い状態にあることを特徴とする手段２に記載の遊技機。
【００１４】
手段３によれば、錠に鍵を非装着の状態では、不正な外力による切替え係合体の施錠位置から解錠位置への配置切替えに応じた作動部材の移動を阻止する目的で、可動片の一部が作動部材の係合部と当接状態又はそれに近い状態にある。従って、前記切替え係合体又は作動部材に対して切替え係合体を施錠位置から解錠位置へ切替えようとする外力が及んだときでも、その外力は、作動部材の係合部及び可動片を介して錠の錠軸に伝達される。従って、上記手段１及び２と同様、鍵の非装着時における錠軸の回動不能特性を利用して前記外力による切替え係合体の不正な配置切替えを阻止することができる。なお、「当接状態に近い状態」とは、可動片又は作動部材をごく僅かに動かすだけで、可動片の一部と作動部材の係合部とを当接状態にいたらしめることが可能な状態をいう。
【００１５】
手段４．前記可動片は少なくとも１本の腕部を有しており、前記作動部材は前記可動片の腕部と係合可能な係合凹部を有しており、前記錠に鍵を非装着の状態では、可動片の腕部が作動部材の係合凹部内に進入配置されると共に、不正な外力による切替え係合体の施錠位置から解錠位置への配置切替えに応じた作動部材の移動を阻止すべく、前記可動片の腕部が作動部材の係合凹部の壁面と当接状態又はそれに近い状態にあることを特徴とする手段２に記載の遊技機。
【００１６】
手段４によれば、錠に鍵を非装着の状態では、可動片の腕部が作動部材の係合凹部内に進入配置されると共に、不正な外力による切替え係合体の施錠位置から解錠位置への配置切替えに応じた作動部材の移動を阻止する目的で、可動片の腕部が作動部材の係合凹部の壁面と当接状態又はそれに近い状態にある。従って、前記切替え係合体又は作動部材に対して切替え係合体を施錠位置から解錠位置へ切替えようとする不正な外力が及んだときでも、その外力は、作動部材の係合凹部の壁面及び可動片を介して錠の錠軸に伝達される。このように、可動片の腕部と作動部材の係合凹部壁面との間に実質的な当接関係を構築するという簡素な構成に基づき、上記手段１及び２と同様、鍵の非装着時における錠軸の回動不能特性を利用して前記外力による切替え係合体の不正な配置切替えを阻止することができる。なお、「当接状態に近い状態」とは、可動片又は作動部材をごく僅かに動かすだけで、可動片の腕部と作動部材の係合凹部の壁面とを当接状態にいたらしめることが可能な状態をいう。
【００１７】
手段５．前記錠に鍵を非装着の状態において作動部材の係合凹部内に進入配置される可動片の腕部は、錠に鍵を装着しての解錠操作によって錠軸及び可動片を回動させた際に、可動片の回動方向が特定方向の場合には係合凹部の一部に係合して作動部材を押圧する一方、可動片の回動方向が前記特定方向と反対方向の場合には作動部材に何の作用も及ぼすことなく当該係合凹部から離脱し得るように形状設定されていることを特徴とする手段４に記載の遊技機。
【００１８】
手段５によれば、錠に鍵を装着しての正規の解錠操作によって錠軸及び可動片を回動させた際に、可動片の回動方向が特定方向の場合には、その可動片の腕部で作動部材を押圧して切替え係合体を施錠位置から解錠位置に配置切替えして開閉部材を解錠することが可能となる一方、可動片の回動方向が前記特定方向と反対方向の場合には、作動部材及び切替え係合体に何の変化ももたらすことなく、当該開閉部材の施錠状態を維持することが可能となる。このように可動片の回動方向に応じて開閉部材の施錠又は解錠の状態を選択可能となれば、施錠装置の設計の幅が広がる。例えば、一つの錠及びその錠軸に連結された一つの可動片（但し２本の腕部を持つ）だけで、二つの開閉部材にそれぞれ対応した二つの作動部材を選択的に作動させるような設計も可能となる。
【００１９】
手段６．鍵の非装着状態において作動部材の係合凹部内に進入配置される可動片の腕部の外側縁は、錠軸を中心とした仮想円にほぼ沿って円弧状に縁取られると共に、その円弧状外側縁の一部において当該腕部が作動部材の係合凹部の壁面に当接可能となっていることを特徴とする手段５に記載の遊技機。
【００２０】
手段６によれば、鍵の非装着状態において、不正な外力による切替え係合体の施錠位置から解錠位置への配置切替えに応じた作動部材の移動を阻止すべく、前記可動片の腕部が作動部材の係合凹部の壁面と当接状態又はそれに近い状態にあることが担保され、しかも、錠に鍵を装着しての正規の解錠操作において、可動片の回動方向が前記特定方向と反対方向の場合に、作動部材に何の作用も及ぼすことなく当該係合凹部から離脱することが許容される。
【００２１】
手段７．鍵の非装着状態において作動部材の係合凹部内に進入配置される可動片の腕部の前記外側縁と反対側に位置する内側端と、その内側端に対向する前記作動部材の係合凹部壁面との間に、所定間隔を確保するように構成したことを特徴とする手段６に記載の遊技機。
【００２２】
手段７によれば、可動片の腕部の外側縁と反対側に位置する内側端と、その内側端に対向する作動部材の係合凹部壁面との間には、所定間隔が確保される。このため、鍵の非装着状態において前記内側端がそれに対向する作動部材の係合凹部壁面に当接する場合（所定間隔が確保されない場合）に比べて、当該施錠装置を構成する部品（作動部材や可動片等）の組み付けが容易になると共に、施錠装置の設計がし易くなる。
【００２３】
手段８．前記切替え係合体は、遊技機に設けられた被係止部に対し係合することで前記開閉部材が施錠状態となる施錠位置と、前記被係止部から離脱することで前記開閉部材が解錠状態となる解錠位置との間を配置切替え可能に構成された鉤部材であることを特徴とする手段１〜７に記載の遊技機。
【００２４】
手段８によれば、不正な意図を持った者が例えば線材等を介して鉤部材に対し不正な外力を及ぼしても、前述のような鍵の非装着時における錠軸の回動不能特性により、鉤部材が施錠位置から解錠位置に不正に切替えられることがない。
【００２５】
手段９．前記切替え係合体は前記作動部材に一体化されており、その作動部材の配置切替えに応じて、前記開閉部材が施錠状態となる施錠位置と、前記開閉部材が解錠状態となる解錠位置との間を配置切替え可能であることを特徴とする手段２〜７に記載の遊技機。
【００２６】
手段９によれば、不正な意図を持った者が例えば線材等を介して切替え係合体に対し不正な外力を及ぼしても、前述のような鍵の非装着時における錠軸の回動不能特性により、作動部材に一体化された切替え係合体が施錠位置から解錠位置に不正に切替えられることがない。
【００２７】
手段１０．第１開閉部材、第２開閉部材及び前記両開閉部材を施錠する施錠装置を備えた遊技機において、前記施錠装置は、鍵の非装着状態では錠軸が回動不能となる錠と、前記第１開閉部材が施錠状態となる施錠位置と、第１開閉部材が解錠状態となる解錠位置との間を配置切替え可能な第１開閉部材用の切替え係合体と、前記第２開閉部材が施錠状態となる施錠位置と、第２開閉部材が解錠状態となる解錠位置との間を配置切替え可能な第２開閉部材用の切替え係合体と、前記錠と前記第１開閉部材用及び第２開閉部材用の切替え係合体との動作伝達に関与する作動機構とを備え、前記作動機構は、第１開閉部材用又は第２開閉部材用の切替え係合体を施錠位置から解錠位置へ切替えようとする外力が及んだときにその外力を前記錠軸に伝達するように構成されていることを特徴とする遊技機。
【００２８】
手段１０の遊技機によれば、錠に鍵を装着して解錠操作を行う場合には、錠の動作が作動機構を介して第１開閉部材用又は第２開閉部材用の切替え係合体に伝達され、その切替え係合体が施錠位置から解錠位置に切替えられて当該開閉部材の施錠が解除される。これに対し、不正な意図を持った者が第１開閉部材用又は第２開閉部材用の切替え係合体を施錠位置から解錠位置へ切替えようとする外力を及ぼす場合（例えば、線材等を外から遊技機内に挿入しこの線材等を介して不正に外力を及ぼす場合）がある。しかしその場合でも、不正な外力は作動機構を介して錠の錠軸に伝達される一方で、その錠軸は錠に鍵が装着されない限り回動不能のままである。故に、不正な外力が及んだとしても、錠軸が動かないことで作動機構及び切替え係合体も動かされず、外力による切替え係合体の不正な配置切替えが阻止される。つまり、鍵の非装着時における錠軸の回動不能特性を利用して外力による第１開閉部材用又は第２開閉部材用の切替え係合体の不正な配置切替えが阻止される。従って、この遊技機によれば、外部から不正な操作を受けても第１及び第２開閉部材の施錠状態を容易に解除することができず、不正行為に対する防御性能（即ち防犯性能）に優れている。
【００２９】
手段１１．前記作動機構は、前記錠の錠軸と共に一体回動可能であり且つ第１腕部及び第２腕部を有する可動片と、前記第１開閉部材用切替え係合体と前記可動片の第１腕部との間の動作伝達を担うべく当該第１腕部と係合可能な係合凹部を有する第１作動部材と、前記第２開閉部材用切替え係合体と前記可動片の第２腕部との間の動作伝達を担うべく当該第２腕部と係合可能な係合凹部を有する第２作動部材とを備え、前記錠に鍵を非装着の状態では、可動片の第１及び第２腕部がそれぞれ第１及び第２作動部材の係合凹部内に進入配置されると共に、可動片の各腕部がそれぞれ対応する作動部材の係合凹部の壁面と当接状態又はそれに近い状態にあることを特徴とする手段１０に記載の遊技機。
【００３０】
手段１１によれば、錠に鍵を非装着の状態では、可動片の第１及び第２腕部がそれぞれ第１及び第２作動部材の係合凹部内に進入配置されると共に、可動片の各腕部がそれぞれ対応する作動部材の係合凹部の壁面と当接状態又はそれに近い状態にある。このため、第１開閉部材用又は第２開閉部材用の切替え係合体を施錠位置から解錠位置へ切替えようとする外力が及んだときでも、その外力は第１又は第２作動部材の係合凹部の壁面及び可動片を介して錠の錠軸に伝達される。このように可動片の各腕部と各作動部材の係合凹部壁面との間の実質的な当接関係を構築するという簡素な構成に基づいて、上記手段１０と同様、鍵の非装着時における錠軸の回動不能特性を利用して、前記外力による切替え係合体の不正な配置切替えを阻止することができる。なお、「当接状態に近い状態」とは、可動片又は各作動部材をごく僅かに動かすだけで、可動片の各腕部と各作動部材の係合凹部の壁面とを当接状態にいたらしめることが可能な状態をいう。
【００３１】
手段１２．前記錠に鍵を非装着の状態において各作動部材の係合凹部内に進入配置される可動片の第１及び第２腕部は、錠に鍵を装着しての解錠操作によって錠軸及び可動片を回動させた際に、可動片の回動方向が第１腕部が第１作動部材の係合凹部に係合して第１作動部材を押圧するような回動方向である場合には、第２腕部が第２作動部材に何の作用も及ぼすことなくその係合凹部から離脱し得る一方、可動片の回動方向が第２腕部が第２作動部材の係合凹部に係合して第２作動部材を押圧するような回動方向である場合には、第１腕部が第１作動部材に何の作用も及ぼすことなくその係合凹部から離脱し得るように形状設定されていることを特徴とする手段１１に記載の遊技機。
【００３２】
手段１２によれば、可動片が具備する第１腕部及び第２腕部を上述のように形状設定することにより、一つの錠及び一つの可動片だけで、第１及び第２作動部材のうちの一方に何の作用も及ぼすことなく、残る一方の作動部材だけを作動させることが可能となる。即ち、第１又は第２作動部材を選択的に作動させることで、第１開閉部材又は第２開閉部材を選択的に施解錠することが可能となる。
【００３３】
手段１３．前記可動片の第１及び第２腕部の各外側縁は、錠軸を中心とした仮想円にほぼ沿って円弧状に縁取られており、錠に鍵を非装着の状態では、前記第１腕部がその円弧状外側縁の一部において第１作動部材の係合凹部の壁面と当接状態又はそれに近い状態にあると共に、前記第２腕部がその円弧状外側縁の一部において第２作動部材の係合凹部の壁面と当接状態又はそれに近い状態にあることを特徴とする手段１２に記載の遊技機。
【００３４】
手段１３によれば、鍵の非装着状態において、不正な外力による切替え係合体の施錠位置から解錠位置への配置切替えに応じた作動部材の移動を阻止する目的で、可動片の第１及び第２腕部がそれぞれ第１及び第２作動部材の係合凹部の壁面と当接状態又はそれに近い状態にあることが担保され、しかも、錠に鍵を装着しての正規の解錠操作において、第１及び第２腕部のうちの一方がそれと対応する作動部材の係合凹部と係合してその作動部材を押圧する場合に、残る一方の腕部がそれと対応する作動部材に何の作用も及ぼすことなく、その係合凹部から離脱することが許容される。
【００３５】
手段１４．鍵の非装着状態において第１作動部材の係合凹部内に進入配置される可動片の第１腕部の前記外側縁と反対側に位置する内側端と、その内側端に対向する第１作動部材の係合凹部壁面との間に所定間隔を確保し、且つ、鍵の非装着状態において第２作動部材の係合凹部内に進入配置される可動片の第２腕部の前記外側縁と反対側に位置する内側端と、その内側端に対向する第２作動部材の係合凹部壁面との間に所定間隔を確保するように構成したことを特徴とする手段１３に記載の遊技機。
【００３６】
手段１４によれば、可動片の第１腕部の外側縁と反対側に位置する内側端と、その内側端に対向する第１作動部材の係合凹部壁面との間には、所定間隔が確保され、且つ、可動片の第２腕部の外側縁と反対側に位置する内側端と、その内側端に対向する第２作動部材の係合凹部壁面との間には、所定間隔が確保される。このため、各腕部の内側端がそれに対向する作動部材の係合凹部壁面に当接する場合（所定間隔が確保されない場合）に比べて、当該施錠装置を構成する部品（作動部材や可動片等）の組み付けが容易になると共に、施錠装置の設計がし易くなる。
【００３７】
手段１５．手段１から手段１４のいずれかにおいて、前記遊技機はパチンコ機であること。中でも、パチンコ機の基本構成としては、操作ハンドルを備えており、そのハンドル操作に応じて遊技球を所定の遊技領域に発射させ、遊技球が遊技領域内の所定の位置に配置された作動口に入賞することを必要条件として表示装置における図柄の変動表示が開始すること、又、特別遊技状態発生中には遊技領域内の所定の位置に配置された入賞口が所定の態様で開放されて遊技球を入賞可能として、その入賞個数に応じた有価価値（景品球のみならず、磁気カードへの書込み等も含む）が付与されること等が挙げられる。上記パチンコ機には少なくとも、多数個の遊技球を取得できる遊技者に有利な状態である特別遊技状態（大当り状態）と、遊技球を消費する遊技者に不利な状態である通常遊技状態の二種類の遊技状態が存在する。
【００３８】
手段１６．手段１から手段１４のいずれかにおいて、前記遊技機はスロットマシンであること。中でも、スロットマシンの基本構成としては、「遊技状態に応じてその遊技状態を識別させるための複数の図柄からなる図柄列を変動表示した後に図柄を確定表示する表示装置を備え、始動用操作手段（例えば操作レバー）の操作に起因して図柄の変動が開始され、停止用操作手段（例えばストップボタン）の操作に起因して或いは所定時間経過することにより図柄の変動が停止され、その停止時の確定図柄が特定図柄であることを必要条件として遊技者に有利な特別遊技状態を発生させる特別遊技状態発生手段とを備えた遊技機」となる。この場合、遊技媒体は、コイン、メダル等が代表例として挙げられる。上記遊技機には少なくとも、多数個の遊技媒体を取得できる遊技者に有利な状態である特別遊技状態（大当り状態）と、遊技媒体を消費する遊技者に不利な状態である通常遊技状態の二種類の遊技状態が存在する。
【００３９】
手段１７．手段１から手段１４のいずれかにおいて、前記遊技機はパチンコ機とスロットマシンとを融合させた遊技機であること。中でも、前記融合させた遊技機の基本構成としては、「遊技状態に応じてその遊技状態を識別させるための複数の識別情報からなる図柄列を変動表示した後に図柄を確定表示する表示装置を備え、始動用操作手段（例えば操作レバー）の操作に起因して図柄の変動が開始され、停止用操作手段（例えばストップボタン）の操作に起因して或いは所定時間経過することにより図柄の変動が停止され、その停止時の確定図柄が特定図柄であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。上記遊技機には少なくとも、多数個の遊技球を取得できる遊技者に有利な状態である特別遊技状態（大当り状態）と、遊技球を消費する遊技者に不利な状態である通常遊技状態の二種類の遊技状態が存在する。
【００４０】
以下に、本発明を遊技機としてのパチンコ機に具体化した一実施形態を図面を参照して説明する。
【００４１】
図１及び図２に示すようにパチンコ機１０は、外枠１１と、前面枠１２（内枠ともいう）と、ガラス板が嵌め込まれたガラス枠１３と、遊技盤１４とを備えている。遊技盤１４は前面枠１２の内側（裏側）に組み付けられており、前面枠１２と遊技盤１４とが一体化して前面扉を構成している。前面枠１２は外枠１１の左側に設けられた上下一対のヒンジ部１５，１５を介して当該外枠１１に対し回動可能に取り付けられ、外枠１１に対して開閉可能となっている。ガラス枠１３も上下一対の軸支部１６，１６により前面枠１２に対して開閉可能に支持されている。本実施形態では、ガラス枠１３が第１開閉部材に、前面枠１２が第２開閉部材にそれぞれ相当する。
【００４２】
なお、前面枠１２及び遊技盤１４によって構成されるパチンコ機の正面は、その略上半部を占めるガラス枠１３で区画された遊技盤領域と、略下半部を占めると共に前面枠１２に造作された操作領域とに区分される。遊技盤領域には、表示装置、大小様々の入賞口、風車、ランプ、スピーカ、その他の遊技性を高めるための器具や装置（いずれも図示略）が設けられている。他方、操作領域には、弾発のための発射操作ハンドル１７、打球供給皿としての上受け皿１８、余剰玉受皿としての下受け皿１９、その他の器具や装置が設けられている。
【００４３】
前面枠１２の裏面の片側には、縦長の施錠装置２０が設けられている。この施錠装置２０は、前面枠１２が閉じられたときに前面枠１２を外枠１１に係止して開放不能とするための前面枠用施解錠機構と、ガラス枠１３が閉じられたときにガラス枠１３を前面枠１２に係止して開放不能とするためのガラス枠用施解錠機構とを具備した前面枠及びガラス枠両用の施錠装置である。尚、外枠１１の右側内部には、前面枠１２の施錠に関与する被係止部として、上側受け金具１１ａ及び下側受け金具１１ｂが固定されている。同様に前面枠１２及び／又はガラス枠１３には、ガラス枠１３の施解錠に関する機構（図示略）が設けられている。
【００４４】
図３（Ａ）及び（Ｂ）は、横倒し状態の施錠装置２０を示す。この施錠装置の主要な構成部品としては、枠体２１、第１作動部材３０、第２作動部材４０、上側及び下側の鉤部材５０Ａ，５０Ｂ、シリンダ錠６０並びにカム７０がある。パチンコ機１０への取付時に上下方向（図３では左右方向）に延びる枠体２１に対して、第１作動部材以下の各種部品（３０〜７０）を取り付けることで施錠装置２０が構成される。
【００４５】
図４（Ａ）及び（Ｂ）は上記各種部品を取り付ける前の枠体２１を示す。この枠体２１は、長尺な金属板をほぼ直角に曲げてアングル状（即ち横断面Ｌ字状）に板金加工したものであり、互いに略直交する第１取付け板部２２と第２取付け板部２３とを有している。第１取付け板部２２には少なくとも、シリンダ錠用の取付孔２４と、バネ用のフック２５とが形成されている。第２取付け板部２３は第１及び第２の作動部材３０，４０や上下一対の鉤部材５０Ａ，５０Ｂを取り付けるための部位である。第２取付け板部２３には少なくとも、開口域２６と、第１作動部材３０用の一対の規制部２７ａ，２７ｂと、第２作動部材４０用の一対の規制部２８ａ，２８ｂとが形成されている。
【００４６】
前記開口域２６は、枠体２１に各種部品を取り付けたときにそれぞれの部品の自由なスライドや回動を阻害しないための逃げ領域を提供するために存在する。第２取付け板部２３の上縁に突設された一対の規制部２７ａ，２７ｂは、枠体２１の長手方向に沿った第１作動部材３０のスライドを制限するための部位であり、両規制部２７ａ，２７ｂ間の間隔に応じて第１作動部材３０の最大スライド範囲が定まる。同様に、第２取付け板部２３の上縁から横方向に突設された一対の規制部２８ａ，２８ｂは、枠体２１の長手方向に沿った第２作動部材４０のスライドを制限するための部位であり、両規制部２８ａ，２８ｂ間の間隔に応じて第２作動部材４０の最大スライド範囲が定まる。
【００４７】
図５（Ａ）及び（Ｂ）は、ガラス枠１３の施解錠に関与する第１作動部材３０を単品状態で示す。この第１作動部材３０は、比較的全長が短めの長尺な板状部材であり、第２取付け板部２３に対しその長手方向に沿ってスライド可能に取り付けられる。第１作動部材３０の前後両端部近傍には、それぞれフック部３１及び係合部３２が横方向に突出形成されている。但し、フック部３１が第１作動部材の一方の側面へ突出するのに対し、係合部３２は第１作動部材の反対側面へ突出している。フック部３１には、コイルバネの一端が掛けられる。
【００４８】
係合部３２は、前面枠１２及び／又はガラス枠１３に設けられたガラス枠１３を施錠又は解錠するための機構（周知ゆえ説明及び図示を省略）と第１作動部材３０との間の機械的連動に関与する部位であって、第１作動部材３０のスライドに伴う係合部３２の位置変化に応じてガラス枠１３の施錠又は解錠の状態を切り替えるという役目を担った第１開閉部材用の切替え係合体である。また、係合部３２は、第１作動部材の枠体２１への取付時に前記一対の規制部２７ａ，２７ｂ間に配置されて、第１作動部材３０のスライド規制に関与するスライド規制部としても機能する。更に、第１作動部材３０の中央部上縁には、係合凹部３３が切り欠き形成されている。この係合凹部３３の端部と後述するカム７０の一部（第１腕部７１）との係合に基づいて、第１作動部材３０とシリンダ錠６０との間の動作伝達又は力の伝達が実現する。
【００４９】
図５（Ｃ）及び（Ｄ）は、前面枠１２の施解錠に関与する第２作動部材４０を単品状態で示す。この第２作動部材４０は、枠体２１の全長に匹敵する長さを有する長尺な板状部材であり、第２取付け板部２３に対しその長手方向に沿ってスライド可能に取り付けられる。第２作動部材４０の一側面には、二つのフック部４１，４２が突設されている。各フック部４１，４２にはコイルバネの一端が掛けられる。第２作動部材４０の中央部上縁には、スライド規制部４３が突出形成されている。このスライド規制部４３は、第２作動部材４０の枠体２１への取付時に前記一対の規制部２８ａ，２８ｂ間に配置されて、第２作動部材４０のスライド規制に関与する。更に、第２作動部材４０の下縁には、係合凹部４４が切り欠き形成されている。この係合凹部４４の端部と後述するカム７０の一部（第２腕部７２）との係合に基づいて、第２作動部材４０とシリンダ錠６０との間の動作伝達又は力の伝達が実現する。
【００５０】
図５（Ｅ）は、上側鉤部材５０Ａ及び下側鉤部材５０Ｂとして使用される鉤部材を単品状態で示す。この鉤部材の略中央には支持孔５１が形成され、その支持孔５１よりも下側（基端側）には連結孔５２が形成されている。支持孔５１よりも上側（先端側）において鉤部材には係合凹部５３が形成されている。この係合凹部５３内に前記受け金具１１ａ又は１１ｂが収まるように鉤部材を配置することで、前面枠１２が施錠状態となる（図２参照）。即ち、鉤部材５０Ａ及び５０Ｂは第２開閉部材用の切替え係合体として機能する。
【００５１】
さて、図３（Ａ）及び（Ｂ）に示すように、枠体２１の第２取付け板部２３の前後端部には、それぞれ上側鉤部材５０Ａ及び下側鉤部材５０Ｂがリベット状の支持軸５４を介して回動可能に取り付けられている。各支持軸５４は各鉤部材の支持孔５１内に配置されて、鉤部材の回動軸の役目を果たす。
【００５２】
第２取付け板部２３の開口域２６付近には、第１作動部材３０が当該第２取付け板部２３にほぼ接するように配置されている。その際、第１作動部材３０は、その係合部３２の根元が前記一対の規制部２７ａ，２７ｂ間に位置するように枠体２１に取り付けられる。そして、第１作動部材３０の本体部分と係合部３２の一部との間に枠体の第２取付け板部２３が挟まれることで、第１作動部材３０が第２取付け板部２３から離間することなく当該第２取付け板部２３に沿ってスライド可能となっている。
【００５３】
枠体の第２取付け板部２３には更に、上下鉤部材５０Ａ，５０Ｂを介して第２作動部材４０が取り付けられている。具体的には、第２作動部材４０の前後両端部が、それぞれ上側鉤部材５０Ａ及び下側鉤部材５０Ｂの各基端部に対しリベット状の連結軸５５を介して回動可能に連結されている。各連結軸５５は各鉤部材の連結孔５２内に配置される。その結果、第２作動部材４０、上側鉤部材５０Ａ及び下側鉤部材５０Ｂからなるリンク機構が構成され、そのリンク機構の動きに応じて、第２作動部材４０が第２取付け板部２３の長手方向に沿ってスライドする。
【００５４】
第２作動部材４０の枠体２１への取付け時、第２作動部材４０のスライド規制部４３は前記一対の規制部２８ａ，２８ｂ間に位置する。また、図３（Ａ）からわかるように、第１作動部材３０の係合部３２の根元付近が第２取付け板部２３と第２作動部材４０との間に挟まれる格好となっており、第２作動部材４０が枠体２１に装着されている限り、第１作動部材３０は枠体２１から脱落しないような組付け関係となっている。更に、枠体２１にシリンダ錠６０を装着する前の状態を示す図３（Ｃ）からわかるように、枠体２１に第１及び第２作動部材３０，４０を装着した状態では、第２取付け板部２３の高さ方向に対して、第１作動部材３０が相対的に下に位置すると共に第２作動部材４０が相対的に上に位置するような配置状況となる。そして、この相対配置状況を反映して、第１作動部材３０の係合凹部３３が相対的に下に位置する一方、第２作動部材４０の係合凹部４４が相対的に上に位置することになる。
【００５５】
図３（Ａ）及び（Ｂ）に示すように、第２作動部材４０のフック部４１と第１作動部材３０のフック部３１との間には、付勢手段としての第１のコイルバネ５６が架設されている。又、第２作動部材４０のフック部４２と枠体の第１取付け板部２２上のフック２５との間には、付勢手段としての第２のコイルバネ５７が架設されている。
【００５６】
第１及び第２のコイルバネ５６，５７は、第２作動部材４０を図３の右方向（下側鉤部材５０Ｂの方向）に向けて付勢する。この付勢作用により、第２作動部材４０は、そのスライド規制部４３が枠体の規制部２８ｂに当接する位置（即ち図３に示す待機位置）に位置決めされる。このとき、上下鉤部材５０Ａ，５０Ｂは、第２作動部材４０とのリンク関係に基づいて図３（Ｂ）及び（Ｃ）に示すような位置（施錠位置）に配置され、それぞれ対応する受け金具１１ａ，１１ｂと係合することで前面枠１２の施錠状態が実現される。尚、両コイルバネ５６，５７の付勢力に抗して第２作動部材４０を強制的に上動（図３では左移動）させると、上記リンク関係に基づいて上下鉤部材５０Ａ，５０Ｂが図３（Ａ）の矢印の方向に回動し、施錠位置から解錠位置に切り替わる。そして、両鉤部材５０Ａ，５０Ｂが対応する受け金具１１ａ，１１ｂから離脱することで前面枠１２が解錠される。スライド規制部４３が規制部２８ａに当接することで、第２作動部材４０のそれ以上の上動及び各鉤部材５０Ａ，５０Ｂのそれ以上の回動が規制される。
【００５７】
第１のコイルバネ５６は更に、第１作動部材３０を図３の左方向（上側鉤部材５０Ａの方向）に向けて付勢する働きもする。この付勢作用により、第１作動部材３０は、その係合部３２の根元が枠体の規制部２７ａに当接する位置（即ち図３に示す待機位置）に位置決めされる。この場合に、係合部３２がガラス枠用の施解錠機構に何の作用も及ぼさないことで、ガラス枠１３の施錠状態が実現される。尚、コイルバネ５６の付勢力に抗して第１作動部材３０を強制的に下動（図３では右移動）させると、係合部３２が枠体の規制部２７ｂに到達するまでの間にガラス枠用の施解錠機構に対しプッシュボタン的に作用して、ガラス枠１３が解錠される。
【００５８】
図３（Ａ）及び（Ｂ）に示すように、枠体２１にはシリンダ錠６０が設けられている。シリンダ錠６０は、その本体部を第１取付け板部２２の取付孔２４（図４参照）に挿入してからシリンダ錠６０の取付フランジ部を第１取付け板部２２に接合しネジ止めすることにより、枠体２１に固着されている。シリンダ錠６０の正面側には、専用鍵Ｋを差し込むための鍵穴６１が設けられている（図１及び図２参照）。他方、シリンダ錠６０の背面側（取付フランジ部側）には、錠軸６２が突出している。このシリンダ錠６０は、少なくとも鍵穴６１に専用鍵Ｋを差し込まない限り錠軸６２を回動させることができない内部構造となっている（即ち、専用鍵非装着時における錠軸の回動不能特性を有する）。
【００５９】
背面側に突出した錠軸６２の先端部には、可動片としてのカム７０が一体回動可能に取り付けられている。
【００６０】
図６（Ａ）及びその要部拡大図である図８は、シリンダ錠の鍵穴６１に専用鍵Ｋが差し込まれていない状態、即ち錠軸６２及びカム７０が待機位置にある場合を示している。特に図８に示すように、カム７０は、その略円盤状本体部から延びる第１腕部７１及び第２腕部７２を有している。カムの両腕部７１，７２は第１取付け板部２２とほぼ平行に延設されているが、第１腕部の先端部７１ａの高さが第１作動部材３０の係合凹部３３の高さに対応し且つ第２腕部の先端部７２ａの高さが第２作動部材４０の係合凹部４４の高さに対応するように、各腕部７１，７２の高さが設定されている。つまり錠軸６２の方向において第１腕部７１が相対的に低く位置すると共に第２腕部７２が相対的に高く位置するように、各腕部７１，７２の高さが設定されている。
【００６１】
また、カム７０及び錠軸６２が待機位置にあるときに、第１腕部の先端部７１ａが第１作動部材の係合凹部３３内に進入し、且つ第２腕部の先端部７２ａが第２作動部材の係合凹部４４内に進入し得るように各腕部７１，７２の長さが設定されている。加えて、第１腕部の先端部７１ａと第２腕部の先端部７２ａとは、互いに接近し合う方向（内方向）に屈曲形成されている。
【００６２】
更に、第１腕部の先端部７１ａの外側縁７３は、錠軸６２を中心とした所定半径の仮想円Ｃ１にほぼ沿って縁取られると共に、その円弧状の外側縁７３の端点７４において第１腕部７１が第１作動部材の係合凹部３３を区画する上側区画壁３３ａと当接状態（又はそれに近い状態）となるように、第１腕部７１の形状が設定されている。同様に、第２腕部の先端部７２ａの外側縁７６は、錠軸６２の中心とした所定半径の仮想円Ｃ２にほぼ沿って縁取られると共に、その円弧状の外側縁７６の端点７７において第２腕部７２が第２作動部材の係合凹部４４を区画する下側区画壁４４ｂと当接状態（又はそれに近い状態）となるように、第２腕部７２の形状が設定されている。
【００６３】
尚、図８によれば、第１腕部の先端部７１ａの内側頂点７５が第１作動部材の係合凹部３３の下側区画壁３３ｂとほぼ当接状態にあるが、これは本実施形態に特有の設計に過ぎず本発明にとっての必須構成ではない。同じく図８によれば、第２腕部の先端部７２ａの内側頂点７８が第２作動部材の係合凹部４４の上側区画壁４４ａとほぼ当接状態にあるが、これも本実施形態に特有の設計に過ぎず本発明にとっての必須構成ではない。
【００６４】
このように、第１及び第２腕部７１，７２を備えたカム７０は、第１作動部材３０又は第２作動部材４０とシリンダ錠６０とを作動連結する。専用鍵Ｋによるシリンダ錠６０の操作に応じて、カム７０は時計方向（図６（Ｂ）及び（Ｃ）参照）又は反時計方向（図７参照）に回動する。カム７０が所定方向に所定量回動することで、第１腕部７１又は第２腕部７２の一方がそれに対応する作動部材に作用を及ぼし、第１作動部材３０又は第２作動部材４０を定められた方向に移動させる。
【００６５】
（正規の解錠操作時における施錠装置２０の作用等）
前面枠１２及びガラス枠１３が完全に閉じられると共に、シリンダ錠の鍵穴６１に対して専用鍵Ｋが差し込まれていない待機状態（本実施形態では施錠状態でもある）においては、第１及び第２作動部材３０，４０もカム７０も図３，図６（Ａ）及び図８に示す待機位置に配置される。この状態では、上下の鉤部材５０Ａ及び５０Ｂがそれぞれ対応する受け金具１１ａ及び１１ｂと係合して前面枠１２が開放不能になると共に、第１作動部材３０がその係合部３２が枠体の規制部２７ａに当接する位置に位置決めされてガラス枠１３も開放不能となる。
【００６６】
この施錠状態からガラス枠１３を解錠したい場合には、シリンダ錠の鍵穴６１に専用鍵Ｋを差し込み、その専用鍵Ｋをパチンコ機１０の正面（図１参照）から見て左方向（反時計方向）に回動する。すると図６（Ｂ）に示すように、カム７０が時計方向に回動して、カムの第１腕部７１の内側縁が第１作動部材３０の係合凹部３３の下端部（図６では右端部）に当接する。それと同時に、カムの第２腕部７２が第２作動部材４０に何ら作用を及ぼすことなく（即ち第２作動部材４０を待機位置から移動させることなく）、係合凹部４４から離脱する。なぜなら、第２腕部の先端部７２ａの外側縁７６が錠軸６２を中心とした所定半径の仮想円Ｃ２にほぼ沿って縁取られているため、カム７０の時計方向回動時に、第２腕部の先端部７２ａの外側縁７６が第２作動部材の係合凹部４４の区画壁４４ｂを押圧し得ないからである。
【００６７】
その後、図６（Ｃ）に示すように更にカム７０を時計方向に回動するに従い、第１腕部７１が第１コイルバネ５６の付勢力に抗して第１作動部材３０を下方向（図６では右方向）に押す。このように第１作動部材３０を強制下動させる過程で、係合部３２が待機位置（施錠位置）から解錠位置に切替え配置され、解錠位置においてガラス枠用の施解錠機構に対しプッシュボタン的に作用してガラス枠１３が解錠される。ガラス枠１３が解錠された時点で専用鍵Ｋを操作する手の力を緩めると、第１作動部材３０の下動時に蓄力された第１コイルバネ５６のバネ力により、第１作動部材３０が元位置（待機位置）に強制復帰される。これに伴い、カム７０も待機位置付近にまで復帰回動される。
【００６８】
上記の施錠状態から前面枠１２を解錠したい場合には、シリンダ錠の鍵穴６１に専用鍵Ｋを差し込み、その専用鍵Ｋをパチンコ機１０の正面（図１参照）から見て右方向（時計方向）に回動する。するとカム７０が反時計方向に回動して、カムの第２腕部７２の内側縁が第２作動部材４０の係合凹部４４の上端部（図７では左端部）に当接する。それと同時に、カムの第１腕部７１が第１作動部材３０に何ら作用を及ぼすことなく（即ち第１作動部材３０を待機位置から移動させることなく）、係合凹部３３から離脱する。なぜなら、第１腕部の先端部７１ａの外側縁７３が錠軸６２を中心とした所定半径の仮想円Ｃ１にほぼ沿って縁取られているため、カム７０の反時計方向回動時に、第１腕部の先端部７１ａの外側縁７３が、第１作動部材の係合凹部３３の区画壁３３ａを押圧し得ないからである。
【００６９】
その後、図７に示すように更にカム７０を反時計方向に回動するに従い、第２腕部７２が第１及び第２のコイルバネ５６，５７の付勢力に抗して第２作動部材４０を上方向（図７では左方向）に押す。このように第２作動部材４０を強制上動させる過程で、第２作動部材４０の両端部により上下鉤部材５０Ａ，５０Ｂの各基端部が上方向に押され、各鉤部材５０Ａ，５０Ｂが支持軸５４を中心として施錠位置（図３の位置）から解錠位置に向けて時計方向（即ち図３の矢印方向）に回動する。その結果、上下鉤部材５０Ａ，５０Ｂと、それぞれ対応する受け金具１１ａ，１１ｂとの係合が解除され、前面枠１２が解錠される。前面枠１２が解錠された時点で専用鍵Ｋを操作する手の力を緩めると、第２作動部材４０の上動時に蓄力された第１及び第２コイルバネ５６，５７のバネ力により、第２作動部材４０が元位置（待機位置）に強制復帰される。これに伴い、上下鉤部材５０Ａ，５０Ｂが解錠位置から施錠位置（図３の位置）に戻されると共に、カム７０も待機位置付近にまで復帰回動される。
【００７０】
（不正な解錠操作を受けた場合の施錠装置２０の作用等）
ところで、不正な意図を持った者が、例えば針金等の線材をパチンコ機１０の隙間から内部の施錠装置２０に挿入し、この針金等を介して、例えば鉤部材５０Ａ又は５０Ｂに直接外力を及ぼし両方の鉤部材を施錠位置から解錠位置に強制的に切り替えることで前面枠１２の不正解錠を試みる場合がある。しかし、かかる不正解錠を試みても、専用鍵Ｋがシリンダ錠の鍵穴６１に差し込まれていない限り、本実施形態の施錠装置２０が不正に解錠されることはない。
【００７１】
例えば、不正な意図を持った者が、針金等の線材を用いて上側鉤部材５０Ａを施錠位置から解錠位置に切り替えることを試みたと仮定しよう。この場合、上側鉤部材５０Ａを施錠位置から解錠位置に向けて回動させようとする外力が上側鉤部材５０Ａに働くことになるが、その外力は、鉤部材５０Ａと第２作動部材４０とのリンク関係に基づいて、第２作動部材４０を強制上動させようとする力として当該第２作動部材４０に伝達される。
【００７２】
しかしながら、図８に示すように、専用鍵Ｋが鍵穴６１に差し込まれていない待機状態では、カム７０の第２腕部７２が第２作動部材４０の係合凹部４４内に位置すると共に、第２腕部７２はその外側縁７６の端点７７において係合凹部４４の下側区画壁４４ｂと当接状態（又はそれに近い状態）にある。専用鍵Ｋが鍵穴６１に差し込まれていない状況下では錠軸６２及びカム７０は回動不能であるため、不正な外力によって第２作動部材４０を上動させようとしても、カムの第２腕部７２によって第２作動部材４０の上動が阻止される。従って、針金等の線材を用いて上側鉤部材５０Ａを施錠位置から解錠位置に不正に切り替えようと試みても、専用鍵非装着時における錠軸６２の回動不能特性により、上側鉤部材５０Ａ及び第２作動部材４０の不正な切替えが阻止され、前面枠１２の不正解錠は失敗に帰する。針金等の線材を用い下側鉤部材５０Ｂの不正解錠を試みた場合も同じく、前面枠１２の不正解錠は成功しない。
【００７３】
不正な意図を持った者が、針金等の線材を用いて第１作動部材３０の係合部３２を施錠位置から解錠位置に切り替えてガラス枠１３の不正解錠を試みた場合にも、上記と同様のことが言える。具体的には、その場合、第１作動部材３０にはそれを強制下動させようとする外力が作用することになる。しかしながら、図８に示すように、専用鍵Ｋが鍵穴６１に差し込まれていない待機状態では、カム７０の第１腕部７１が第１作動部材の係合凹部３３内に位置すると共に、第１腕部７１はその外側縁７３の端点７４において係合凹部３３の上側区画壁３３ａと当接状態（又はそれに近い状態）にある。専用鍵Ｋが鍵穴６１に差し込まれていない状況下では錠軸６２及びカム７０は回動不能であるため、不正な外力によって第１作動部材３０を下動させようとしても、カムの第１腕部７１によって第１作動部材３０の下動が阻止される。従って、針金等の線材を用いて第１作動部材３０の係合部３２を施錠位置から解錠位置に不正に切り替えようと試みても、専用鍵非装着時における錠軸６２の回動不能特性により、第１作動部材３０の不正な切替えが阻止され、ガラス枠１３の不正解錠は失敗に帰する。
【００７４】
（本実施形態の効果のまとめ）
本実施形態によれば、専用鍵Ｋが鍵穴６１に差し込まれていない待機状態において、シリンダ錠の錠軸６２が回動不能になるという特性、及び、カムの各腕部７１，７２と各作動部材の係合凹部３３，４４との間には実質的なリンク関係が構築されることを利用して、針金等の線材による前面枠１２やガラス枠１３の不正解錠を阻止することができる。故に、本実施形態のパチンコ機１０によれば、不正行為に対する防御性能を従来よりも高めることができる。
【００７５】
また、専用鍵Ｋが鍵穴６１に差し込まれていない待機状態において、カムの第１及び第２腕部７１，７２がそれぞれ対応する第１及び第２作動部材３０，４０の係合凹部３３，４４内に常駐するような構成を採用したにもかかわらず、各腕部の先端部７１ａ，７１ｂの外側縁７３，７６を錠軸６２を中心とした所定半径の仮想円Ｃ１，Ｃ２にほぼ沿って縁取ることにより、一方の腕部がそれと対応する作動部材の係合凹部の区画壁を押す場合には、他方の腕部がそれと対応する作動部材の係合凹部から円滑に離脱して当該作動部材に何らの作用を及ぼさないという選択的作動を可能ならしめている。従って、本実施形態によれば、２本の腕部７１，７２を備えた一つのカム７０で第１作動部材３０又は第２作動部材４０が選択的に作動することを許容しながら同時に、上述のような専用鍵非装着時における錠軸６２の回動不能特性を利用して前面枠１２及びガラス枠１３の不正解錠を防止することが可能となる。
【００７６】
本実施形態によれば、前面枠１２施錠用の上側鉤部材５０Ａ及び下側鉤部材５０Ｂ、第２作動部材４０並びにカム７０の四者が、力の伝達において完全にリンクする関係にある。このため、専用鍵Ｋを用いて前面枠１２を解錠し一旦開放した後に前面枠１２を閉じて再び施錠する場合でも、鍵穴６１に差し込まれた専用鍵Ｋを図１の右方向（時計方向）に回した状態を維持したまま前面枠１２を完全に閉じてからでないと、専用鍵Ｋを握る手の力を緩めて専用鍵Ｋを元の位置に戻しても、各鉤部材５０Ａ，５０Ｂの係合凹部５３内に各受け金具１１ａ，１１ｂが完全に収まらない。つまり、開放状態にある前面枠１２を完全に閉じ且つその施錠を完全ならしめるには、（１）専用鍵Ｋを図１の右方向にしっかりひねる、（２）その状態を維持したまま前面枠１２を完全に閉じる、（３）前面枠１２を正規の閉位置に配置したまま専用鍵Ｋを元の位置に戻す、という三段階の操作を確実にこなす必要がある。故に、本実施形態によれば、従来の施錠装置（殊更に鍵を回す操作をしなくても前面枠１２を勢いよく閉じるだけで、鉤部材と受け金具とが自動的に噛み合うような機械構造を採用した施錠装置）にありがちだった「店員は前面枠１２を閉めたつもりでも、実は前面枠１２が閉じきらず施錠されていなかった」というようなウッカリ事故を未然に防止することができる。
【００７７】
（変更例）
上記実施形態では、一つのシリンダ錠６０及びカム（可動片）７０で二つの作動部材３０，４０を作動させる施錠装置について説明したが、一つの錠及び可動片で一つの作動部材を作動させる施錠装置を備えた遊技機に本発明を適用してもよい。また、本発明をパチンコ機以外の遊技機（例えばスロットマシンや、パチンコ機とスロットマシンとの融合機）に適用してもよい。
【００７８】
上記実施形態では図８に示すように、カム７０の第１腕部の先端部７１ａの内側頂点７５が第１作動部材の係合凹部３３の下側区画壁３３ｂにほぼ当接すると共に、カム７０の第２腕部の先端部７２ａの内側頂点７８が第２作動部材の係合凹部４４の上側区画壁４４ａとほぼ当接するように構成したが、次のように構成変更してもよい。即ち、鍵の非装着状態において第１作動部材の係合凹部３３内に進入配置されるカム７０の第１腕部７１の外側縁７３と反対側に位置する内側端（即ち内側頂点７５）と、その内側端（即ち内側頂点７５）に対向する第１作動部材の係合凹部壁面（即ち下側区画壁３３ｂ）との間に所定間隔を確保する。また、鍵の非装着状態において第２作動部材の係合凹部４４内に進入配置されるカム７０の第２腕部７２の外側縁７６と反対側に位置する内側端（即ち内側頂点７８）と、その内側端（即ち内側頂点７８）に対向する第２作動部材の係合凹部壁面（即ち上側区画壁４４ａ）との間に所定間隔を確保する。このような構成を採用すれば、各腕部の内側端（７５又は７８）がそれに対向する作動部材の係合凹部壁面（３３ｂ又は４４ａ）に当接する場合（即ち所定間隔が確保されない上記実施形態の場合）に比べて、当該施錠装置を構成する部品（第１及び第２の作動部材やカム７０等）の組み付けが容易になると共に、施錠装置の設計がし易くなる。
【図面の簡単な説明】
【００７９】
【図１】遊技機としてのパチンコ機の概略正面図。
【図２】遊技機としてのパチンコ機の概略右側面図。
【図３】（Ａ）は施錠装置（横倒し状態）の平面図、（Ｂ）は正面図、（Ｃ）はシリンダ錠が無い状態での部分正面図。
【図４】（Ａ）は施錠装置の枠体の平面図、（Ｂ）は正面図。
【図５】（Ａ）は第１作動部材の平面図、（Ｂ）はその正面図、（Ｃ）は第２作動部材の平面図、（Ｄ）はその正面図、（Ｅ）は鉤部材の正面図。
【図６】施錠装置のシリンダ錠付近を平面的に示し、（Ａ）は待機状態の部分平面図、（Ｂ）及び（Ｃ）はガラス枠解錠操作時の部分平面図。
【図７】前面枠解錠操作時の部分平面図。
【図８】上記図６（Ａ）の待機状態における要部拡大平面図。
【符号の説明】
【００８０】
１０…パチンコ機（遊技機）、１１ａ，１１ｂ…受け金具（被係止部）、１２…前面枠（第２の開閉部材）、１３…ガラス枠（第１の開閉部材）、２０…施錠装置、３０…第１作動部材、３２…係合部（第１開閉部材用の切替え係合体）、３３…係合凹部、３３ａ…上側区画壁（係合凹部の壁面）、４０…第２作動部材、４４…係合凹部、４４ｂ…下側区画壁（係合凹部の壁面）、５０Ａ，５０Ｂ…鉤部材（第２開閉部材用の切替え係合体）、６０…シリンダ錠（錠）、６２…錠軸、７０…カム（可動片）、７１…第１腕部、７２…第２腕部、７３，７６…第１及び第２腕部の外側縁、Ｃ１，Ｃ２…錠軸を中心とした仮想円、Ｋ…鍵。
【図１】
2008194527.tif 000003
【図２】
2008194527.tif 000004
【図３】
2008194527.tif 000005
【図４】
2008194527.tif 000006
【図５】
2008194527.tif 000007
【図６】
2008194527.tif 000008
【図７】
2008194527.tif 000009
【図８】
2008194527.tif 000010